(57)【要約】【課題】  光源の非照光時に任意の色を示す加飾成形品を提供する。【解決手段】  透光部材で形成された表示板本体（１００）と、前記表示板本体の下部に形成された光源（１１０）と、前記表示板本体の上層に遮光性部材で形成され、一部に該層を貫通する溝部（１２１）が形成されたパターン層（１２０）と、前記パターン層の上層に透光部材で形成された表面層（１３０）と、を備えることを特徴とする加飾成形品を提供する。【選択図】  図１
2015227016.tif 000002
【特許請求の範囲】
【請求項１】
透光部材で形成された表示板本体と、
前記表示板本体の下部に形成された光源と、
前記表示板本体の上層に遮光性部材で形成され、一部に該層を貫通する溝部が形成されたパターン層と、
前記パターン層の上層に透光部材で形成された表面層と、を備える
ことを特徴とする加飾成形品。
【請求項２】
前記表面層は、前記表示板本体と同系色の透光部材で形成された
ことを特徴とする請求項１に記載の加飾成形品。
【請求項３】
前記パターン層は、前記表面層と同系色の遮光性部材で形成された
ことを特徴とする請求項１または請求項２に記載の加飾成形品。
【請求項４】
透光部材で形成された表示板本体と、
前記表示板本体の下部に形成された光源と、
前記表示板本体の上層に遮光性部材で形成され、一部に該表示板を貫通する溝部が形成されたパターン層と、
前記パターン層の上層に透光部材で形成された表面層と、
前記表示板本体を支持可能に構成された複数の弾性支持部と、
前記弾性支持部よりも剛性が高い剛体で構成された、前記表示板本体の下部に配置されたスイッチ足部と、
前記スイッチ足部の下側に設けられ、前記表示板本体の押下によって接点をオフ状態からオン状態に変化可能に構成されたスイッチ部と、
前記スイッチ部及び前記光源が設けられた基板と、を備える
ことを特徴とする照光式スイッチ。
【請求項５】
請求項４に記載の照光式スイッチを備える電子機器。
【発明の詳細な説明】
【技術分野】
【０００１】
本発明の一態様は、リモコンその他の電子機器に用いられる照光式スイッチなどに用いられる加飾成形品などに関する。
【背景技術】
【０００２】
近年、照光可能な加飾成形品として、光源の照光時に透光部のパターンが照らされて、遮光部と共に所定のマークまたは文字などを認識可能とし、光源の非照光時には、この透光部のパターンが遮光部と同化してその存在が目立たなくなる構成のものが求められている。例えば、特許文献１に記載の加飾成形品は、透光性を有する金属薄膜と、照射光を部分的に透過させる遮光層を組み合わせ、光源の非照光時には金属膜が遮光膜を覆い隠すことで、金属膜自体が有する金属色が認識可能となるものが開示されている。
【先行技術文献】
【特許文献】
【０００３】
【特許文献１】特開２００６−９５６９０号公報
【発明の概要】
【発明が解決しようとする課題】
【０００４】
しかしながら、上記従来の加飾成形品では、照光可能な加飾成形品は形成可能であるものの、光源の非照光時には、使用者は金属色を視認する構成であり、光源の非照光時の色が限定されるという課題があった。すなわち、光源の非照光時に任意の色を示す加飾成形品を構成することができなかった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
透光部材で形成された表示板本体（１００）と、
前記表示板本体の下部に形成された光源（１１０）と、
前記表示板本体の上層に遮光性部材で形成され、一部に該層を貫通する溝部（１２１）が形成されたパターン層（１２０）と、
前記パターン層の上層に透光部材で形成された表面層（１３０）と、を備える
ことを特徴とする加飾成形品である。
【０００７】
上記構成の加飾成形品によれば、光源（１１０）の非照光時に金属色のみならず任意の色になる構成で、かつ加飾成形品に施されたマークまたは文字が目立たなくなる構成とすることができる。また、レーザー光による加工が可能であるため、凹凸面であっても加工することができる。
【０００８】
本発明の手段２は、
前記表面層（１３０）は、前記表示板本体と同系色の透光部材で形成された
ことを特徴とする手段１の加飾成形品である。
【０００９】
上記構成の加飾成形品によれば、パターン層（１２０）を挟んで形成された表示板本体（１００）と表面層（１３０）とが同系色であるため、光源（１１０）の非照光時にパターン層（１２０）の遮光部と透光部とが略同じ色になり、透光部が目立たない構成とすることができる。
【００１０】
本発明の手段３は、
前記パターン層（１２０）は、前記表面層と同系色の遮光性部材で形成された
ことを特徴とする手段１または手段２の加飾成形品である。
【００１１】
上記構成の加飾成形品によれば、遮光部及び透光部として機能するパターン層（１２０）が、表示板本体（１００）及び表面層（１３０）と同系色となるため、光源（１１０）の非照光時に、透光部がさらに目立たない構成とすることができる。
【００１２】
本発明の手段４は、
透光部材で形成された表示板本体（１００）と、
前記表示板本体の下部に形成された光源（１１０）と、
前記表示板本体の上層に遮光性部材で形成され、一部に該表示板を貫通する溝部（１２１）が形成されたパターン層（１２０）と、
前記パターン層の上層に透光部材で形成された表面層（１３０）と、
前記表示板本体を支持可能に構成された複数の弾性支持部（１４１）と、
前記弾性支持部よりも剛性が高い剛体で構成された、前記表示板本体の下部に配置されたスイッチ足部（２００）と、
前記スイッチ足部の下側に設けられ、前記表示板本体の押下によって接点をオフ状態からオン状態に変化可能に構成されたスイッチ部（２１０）と、
前記スイッチ部及び前記光源が設けられた基板（１５０）と、を備える
ことを特徴とする照光式スイッチである。
【００１３】
上記構成の照光式スイッチによれば、上記で説明した加飾成形品と同様、光源（１１０）の非照光時に金属色のみならず任意の色になる構成で、かつ加飾成形品に施されたマークまたは文字が目立たなくなる構成とすることができる。
【００１４】
本発明の手段５は、
手段４の照光式スイッチを備える電子機器である。
【００１５】
上記構成の電子機器によれば、光源（１１０）の非照光時に金属色のみならず任意の色になる構成で、かつ加飾成形品に施されたマークまたは文字が目立たなくなる構成の、デザインに優れた照光式スイッチを備えた構成とすることができる。
【図面の簡単な説明】
【００１６】
【図１】実施形態１の加飾成形品の断面図。
【図２】実施形態１の比較例の加飾成形品の断面図。
【図３】実施形態２の照光式スイッチを上面側からみた図。
【図４】実施形態２の照光式スイッチの断面図。
【発明を実施するための形態】
【００１７】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）加飾成形品の構成
（２）比較例
２．実施形態２
３．本発明の特徴
４．補足事項
【００１８】
＜１．実施形態１＞
まず、本発明の実施形態１について、図１及び図２を参照しながら説明する。なお、図２は本実施形態の特徴を説明するための比較例である。
【００１９】
＜（１）加飾成形品の構成＞
図１は、本実施形態の加飾成形品の構成の断面を示す図である。図１に示すように、本実施形態の加飾成形品は、表示板本体１００、光源１１０、パターン層１２０、表面層１３０、支持部１４０、及び基板１５０を含んで構成される。
【００２０】
＜表示板本体１００＞
表示板本体１００は、着色された透光性を有するプラスチックなどの樹脂で形成され、加飾成形品の本体部分を形成する。図１に示す表示板本体１００は、断面が矩形状になっており、上面から見ると平面を形成しているが、必ずしもこのような形状に限るものではなく、凹凸のある形状であってもよい。表示板本体１００は、支持部１４０に接続されて構成されている。なお、表示板本体１００と支持部１４０とは一体形成されていてもよい。
【００２１】
＜光源１１０＞
光源１１０は、基板１５０上に配置されたＬＥＤなどであって、所定の電圧または電流を印加されることで発光可能に構成される。光源１１０は、基板１５０上の、表示板本体１００の略中央下部に形成される。
【００２２】
＜パターン層１２０＞
パターン層１２０は、表示板本体１００の上層に遮光性部材で形成される。パターン層１２０の一部には、このパターン層１２０を貫通する溝部１２１が形成される。すなわち、パターン層１２０は、光源１１０からの照光を透光する溝部１２１と、この光源１１０からの照光を遮光する溝部１２１以外の部分からなり、溝部１２１による形成された形状の照光を上方に映すよう作用する。パターン層１２０は、表示板本体１００及び表面層１３０と同系色に着色されて構成される。パターン層１２０は、表示板本体１００の上層に一様に塗布により形成された後、レーザー光の照射によって溝部１２１を除去することによって成形される。
【００２３】
＜表面層１３０＞
表面層１３０は、パターン層１２０の上層に、表示板本体１００及びパターン層１２０と同系色の透光性部材で形成される。表面層１３０は、着色透明のＵＶコートまたはウレタン塗装などの、高粘度の、溝部１２１を埋めることができる塗膜材料を用いることが、より好ましい。
【００２４】
＜支持部１４０＞
支持部１４０は、表示板本体１００を、基板１５０から光源１１０の厚み以上離しつつ支持可能に構成される。支持部１４０は、着色プラスチックなどの遮光部材で形成される。支持部１４０は、基板１５０と表示板本体１００と共に、光源１１０が配置された空洞部を取り囲むよう形成される。
【００２５】
＜基板１５０＞
基板１５０は、上記光源１１０、及び支持部１４０が設けられたプリント基板である。基板１５０は、支持部１４０の下端を支持可能に形成される。基板１５０には、光源１１０に電圧または電流を印加するための駆動回路などが形成される。
【００２６】
＜（２）比較例＞
次に、図２を参照しながら、本実施形態の比較例について説明する。この比較例は、本実施形態の特徴を示すものではなく、本実施形態の特徴を分かりやすくするために説明するものである。
【００２７】
図２は、比較例の加飾成形品の断面図である。この図２で示す各構成は、支持部１４０より上層の構成が実施形態１の構成と異なり、それ以外は同様の構成であるため、この相違点についてのみ説明する。
【００２８】
＜パターン層１６０＞
図２に示されるように、パターン層１６０は、支持部１４０によって直接支持されるよう形成される。パターン層１６０は黒色の遮光性部材で形成される。パターン層１６０の一部には、このパターン層１６０を貫通する溝部１６１が形成される。すなわち、パターン層１６０は、光源１１０からの照光を透光する溝部１６１と、この光源１１０からの照光を遮光する溝部１６１以外の部分からなり、溝部１６１による形成された形状の照光を上方に映すよう作用する。
【００２９】
＜表示板本体１００＞
表示板本体１００は、パターン層１６０の上層に形成される。表示板本体１００は、形成位置が実施形態１とは異なる以外は、同様の構成となる。
【００３０】
＜表面層１７０＞
表面層１７０は、表示板本体１００の上層に、透光性を備える金属薄膜（ハーフミラー）で形成される。
【００３１】
この比較例の加飾成形品では、上記のように、透光性を有する金属薄膜の表面層１７０と、光源１１０からの照光を溝部１６１以外の部分で透光させるパターン層１６０とが組み合わされる構成となっている。この構成の加飾成形品では、光源１１０の照光時にはパターン層１６０の溝部１６１によって形成されるマークまたは文字などのパターンが表面層１７０の上方に映し出されて照光可能な加飾成形品として機能し、光源１１０の非照光時には表面層１７０がパターン層１６０を覆い隠すよう作用することで、パターン層１６０のパターンがほとんど目立たなくなる。しかし、光源１１０の非照光時には、使用者は表面層１７０を構成する金属薄膜の金属色を視認することとなり、任意の色を視認することにはならない。
【００３２】
＜２．実施形態２＞
次に、本発明の実施形態２について、図３及び図４を参照しながら説明する。本実施形態は、実施形態１で説明した加飾成形品を照光式スイッチに適用した例を示すものであり、実施形態１と同様の、表示板本体１００、パターン層１２０、及び表面層１３０の構成を備える。以下の説明では、実施形態１と同様の構成についてはその説明を省略し、実施形態１との相違点についてのみ説明する。
【００３３】
図３は、本実施形態の照光式スイッチを上面側から見た図である。図４は、本実施形態の照光式スイッチの断面図である。
【００３４】
図３及び図４に示すように、本実施形態の照光式スイッチは、実施形態１の加飾成形品と同様の表示板本体１００、光源１１０、パターン層１２０、及び表面層１３０に加え、弾性支持部１４１、スイッチ足部２００、及びスイッチ部２１０を含んで構成される。
【００３５】
＜弾性支持部１４１＞
弾性支持部１４１は、表示板本体１００を４点で支持可能な４つの部品で形成される。弾性支持部１４１は、ゴムなどの弾性体で形成される。図３及び図４に示すように、弾性支持部１４１は、表示板本体１００の四隅付近に配置される。弾性支持部１４１の下端は、基板１５０に接している。弾性支持部１４１は、使用者が照光式スイッチの表示板本体１００、表面層１３０、及びパターン層１２０（以下、「ボタン部分」と呼称する）を押下していない状態では、ボタン部分を上方に押し上げる力を加えるよう構成される。
【００３６】
＜スイッチ足部２００＞
スイッチ足部２００は、上記のとおり、表示板本体１００を４点で支持可能に４つの部品で構成される。スイッチ足部２００は、上記の弾性支持部１４１よりも剛性が高い剛体で形成される。スイッチ足部２００は、表示板本体１００と一体形成されてもよい。スイッチ足部２００は、使用者がボタン部分を押下したときでも変形しない程度の剛性を備える。
【００３７】
＜スイッチ部２１０＞
スイッチ部２１０は、上記スイッチ足部２００の下側に設けられ、使用者が上記ボタン部分を押下することによって、このスイッチ部２１０の中の基板１５０上に形成された接点をオフ状態からオン状態へと変化可能に構成されている。すなわち、使用者がボタン部分を押下している状態（ボタンを押した状態）ではスイッチ部２１０の中の接点がオン状態となり、使用者がボタン部分の押下を停止した状態（ボタンを押していない状態）ではスイッチ部２１０の中の接点がオフ状態となる。スイッチ部２１０は、使用者がボタン部分を押下していない状態では、スイッチ足部２００を介してボタン部分（直接的には表示板本体１００）を上方に押し上げる力を加えるよう構成される。
【００３８】
弾性支持部１４１と、スイッチ部２１０とは、使用者がボタン部分を押下した状態で同程度変位し（押し下がり）、押下されない状態では平らになるよう、バランスの取れた構成とする。
【００３９】
＜基板１５０＞
基板１５０には、光源１１０に電圧または電流を印加するための駆動回路に加え、スイッチ部２１０のオンオフの状態を検出可能な制御回路などが構成される。
【００４０】
＜３．本発明の特徴＞
上記の実施形態１及び実施形態２に記載の本発明は、以下のような特徴を備える。
【００４１】
本発明の加飾成形品は、透光部材で形成された表示板本体１００と、表示板本体１００の下部に形成された光源１１０と、表示板本体１００の上層に遮光性部材で形成され、一部に該層を貫通する溝部１２１が形成されたパターン層１２０と、パターン層１２０の上層に透光部材で形成された表面層１３０と、を備えることを特徴とする加飾成形品である。
【００４２】
上記構成の加飾成形品によれば、光源１１０の非照光時に金属色のみならず任意の色になる構成で、かつ加飾成形品に施されたマークまたは文字が目立たなくなる構成とすることができる。また、レーザー光による加工が可能であるため、凹凸面であっても加工することができる。
【００４３】
また、本発明の加飾成形品では、表面層１３０は、表示板本体１００と同系色の透光部材で形成されたことを特徴としている。
【００４４】
上記構成の加飾成形品によれば、パターン層１２０を挟んで形成された表示板本体１００と表面層１３０とが同系色であるため、光源１１０の非照光時にパターン層１２０の遮光部と透光部とが略同じ色になり、透光部が目立たない構成とすることができる。
【００４５】
また、本発明の加飾成形品では、パターン層１２０は、表面層１３０と同系色の遮光性部材で形成されたことを特徴としている。
【００４６】
上記構成の加飾成形品によれば、遮光部及び透光部として機能するパターン層１２０が、表示板本体１００及び表面層１３０と同系色となるため、光源１１０の非照光時に、透光部がさらに目立たない構成とすることができる。
【００４７】
また、本発明の照光式スイッチは、透光部材で形成された表示板本体１００と、表示板本体１００の下部に形成された光源１１０と、表示板本体１００の上層に遮光性部材で形成され、一部に該表示板を貫通する溝部１２１が形成されたパターン層１２０と、パターン層１２０の上層に透光部材で形成された表面層１３０とを含む加飾成形品を含む。さらに、本発明の照光式スイッチは、表示板本体１００を支持可能に構成された複数の弾性支持部１４１と、弾性支持部１４１よりも剛性が高い剛体で構成された、表示板本体１００の下部に配置されたスイッチ足部２００と、スイッチ足部２００の下側に設けられ、表示板本体１００の押下によって接点をオフ状態からオン状態に変化可能に構成されたスイッチ部（２１０）と、スイッチ部２１０及び光源１１０が設けられた基板１５０と、を備えることを特徴とする照光式スイッチである。
【００４８】
上記構成の照光式スイッチによれば、上記で説明した加飾成形品と同様、光源１１０の非照光時に金属色のみならず任意の色になる構成で、かつ加飾成形品に施されたマークまたは文字が目立たなくなる構成とすることができる。
【００４９】
また、本発明の電子機器は、上記の照光式スイッチを備える。
【００５０】
上記構成の電子機器によれば、光源１１０の非照光時に金属色のみならず任意の色になる構成で、かつ加飾成形品に施されたマークまたは文字が目立たなくなる構成の、デザインに優れた照光式スイッチを備えた構成とすることができる。
【００５１】
＜４．補足事項＞
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【００５２】
上記実施形態で説明した光源１１０は、必ずしもＬＥＤである必要はなく、電球などの別の光源であってもよい。
【００５３】
また、パターン層１２０に形成された溝部１２１は、表面層１３０と同素材で充填される構成であってもよい。また、この溝部１２１は、表面層１３０とは異なる透光性材料で充填されていてもよい。
【００５４】
また、支持部１４０は、必ずしもプラスチックなどで構成される必要はなく、金属または弾性体などで形成されていてもよい。
【００５５】
また、上記実施形態では、スイッチ足部２００は、４点を支持する４つの部品から構成される例について説明したが、必ずしも４つの部品から構成される必要はなく、４つより多いまたは少ない部品から構成されてもよい。例えば、スイッチ足部２００は、４点を支持可能にする２つの部品で構成されてもよい。また、スイッチ足部２００は、３点を支持可能な構成としてもよい。
【産業上の利用可能性】
【００５６】
本発明は、暗い場所での視認性に優れた構造の加飾成形品などに好適に適用される。
【符号の説明】
【００５７】
１００…表示板本体
１１０…光源
１２０…パターン層
１２１…溝部
１３０…表面層
１４０…支持部
１４１…弾性支持部
１５０…基板
１６０…パターン層
１６１…溝部
１７０…表面層
２００…スイッチ足部
２１０…スイッチ部
【図１】
2015227016.tif 000003
【図２】
2015227016.tif 000004
【図３】
2015227016.tif 000005
【図４】
2015227016.tif 000006